(57)【要約】【課題】専門知識のない者でもデジタルスチルカメラのマニュアル撮影モードにおける撮像条件を容易に設定できるようにする。【解決手段】デジタルスチルカメラ１０に、他人のホームページや雑誌などに掲載されている画像に添付されている情報コードを入力する入力部１４と、入力部１４から入力された情報コードに記録されている撮像条件情報（絞り値、シャッター速度、ＩＳＯ感度、露光時間、露光補正値など）に基づいて撮像部１２の撮像条件を設定する撮像条件設定処理部２０を設けた。【選択図】図１
2011166388.tif 000002
【特許請求の範囲】
【請求項１】
画像に添付された情報コードを入力する手段と、
前記入力された情報コードに記録されている前記画像撮像時の撮像条件情報を取得する手段と、
前記取得した撮像条件情報に基づいて撮像条件を設定する手段を備えた撮像装置。
【請求項２】
前記設定した撮像条件で撮像した画像データを撮像条件情報とともに記憶する手段と、
前記画像データに基づいて画像を可視的に表示する手段と、
前記可視的に表示された複数の画像の中から任意の画像を選択する手段をさらに備え、
前記選択された画像の画像撮像時の撮像条件情報に基づいて撮像条件を設定する請求項１に記載の撮像装置。
【請求項３】
前記情報コードは、ウェブサイトに表示された画像もしくは紙媒体に印刷された画像に添付されたものである請求項１または２に記載の撮像装置。
【請求項４】
前記撮像条件は、絞り値、シャッター速度、ＩＳＯ感度、露光時間、露光補正値のうち少なくとも何れか１つの撮像パラメータを含む請求項１乃至３の何れかに記載の撮像装置。
【請求項５】
ウェブサイトに表示された画像もしくは紙媒体に印刷された画像から任意の画像を選択する工程と、
前記選択した画像に添付された情報コードを撮像装置に入力する工程と、
前記入力された情報コードに記録されている前記画像撮像時の撮像条件情報を取得する工程と、
前記取得した撮像条件情報に基づいて前記撮像装置の撮像条件を設定する工程を含む撮像条件の設定方法。
【請求項６】
前記設定された撮像条件で撮像された画像データを撮像条件情報とともに撮像装置に記憶させる工程と、
前記画像データに基づいて可視的に表示された画像の中から任意の画像を選択する工程と、
前記選択された画像データに対応する撮像条件情報を読み出す工程と、
前記読み出した撮像条件情報に基づいて前記撮像装置の撮像条件を設定する工程をさらに含む請求項５に記載の撮像条件の設定方法。
【発明の詳細な説明】
【技術分野】
【０００１】
本発明は、撮像装置および撮像条件の設定方法に関する。
【背景技術】
【０００２】
デジタルスチルカメラやデジタルビデオカメラなどの撮像装置の多くは、絞り値やシャッター速度、ＩＳＯ感度などの撮像パラメータの設定を撮像時の諸条件に合わせて自動で行うオート撮影モード機能と、撮影者が撮像パラメータを自由に設定できるマニュアル撮影モード機能を備えている。しかし、多くの撮影者はマニュアル撮影モードの利点は認識しているものの、専門知識の不足や設定の煩わしさなどを理由に、実際の撮影においてはオート撮影モードを選択している。
この撮像パラメータの設定を容易にする技術として、例えば特許文献１に開示されている撮影モードの設定情報転送システムを挙げることができる。このシステムは、第１撮像装置と第２撮像装置との間で撮影モードの設定情報の送受信を行い、第２撮像装置の設定情報を第１撮像装置から受信した設定情報に自動的に更新することにより、第２の撮像装置の撮影モードの手動による設定を不要にしている。
【先行技術文献】
【特許文献】
【０００３】
【特許文献１】特許第４３２４７２７号公報
【発明の概要】
【発明が解決しようとする課題】
【０００４】
特許文献１に開示されているシステムは、２つの撮像装置間で直接的に情報の送受信が行われる構成となっているため、送信する側の撮像装置と受信する側の撮像装置の両方が同じ時間に近接した場所にあることが必要条件になっている。そのため、システムを使用できる条件が時間的および空間的に極めて限られ、見知らぬもの同士や遠隔地間での送受信や過去の設定情報に更新したい場合には対応することができない。
【０００５】
本発明は、撮像条件を時間的および空間的な制約なく容易に設定できるようにした撮像装置および撮像条件の設定方法を提供することを目的とする。
【課題を解決するための手段】
【０００６】
前述の課題を解決するための本発明の第１の態様は、画像に添付された情報コードを入力する手段と、前記入力された情報コードに記録されている前記画像撮像時の撮像条件情報を取得する手段と、前記取得した撮像条件情報に基づいて撮像条件を設定する手段を備えた撮像装置である。
【０００７】
本発明の第１の態様は、前記設定した撮像条件で撮像した画像データを撮像条件情報とともに記憶する手段と、前記画像データに基づいて画像を可視的に表示する手段と、前記可視的に表示された複数の画像の中から任意の画像を選択する手段をさらに備え、前記選択された画像の画像撮像時の撮像条件情報に基づいて撮像条件を設定する構成とすることができる。
【０００８】
前述の課題を解決するための本発明の第２の態様は、ウェブサイトに表示された画像もしくは紙媒体に印刷された画像から任意の画像を選択する工程と、前記選択した画像に添付された情報コードを撮像装置に入力する工程と、前記入力された情報コードに記録されている前記画像撮像時の撮像条件情報を取得する工程と、前記取得した撮像条件情報に基づいて前記撮像装置の撮像条件を設定する工程を含む撮像条件の設定方法である。
【０００９】
本発明の第２の態様は、前記設定された撮像条件で撮像された画像データを撮像条件情報とともに撮像装置に記憶させる工程と、前記画像データに基づいて可視的に表示された画像の中から任意の画像を選択する工程と、前記選択された画像データに対応する撮像条件情報を読み出す工程と、前記読み出した撮像条件情報に基づいて前記撮像装置の撮像条件を設定する工程をさらに含む構成とすることができる。
【発明の効果】
【００１０】
本発明の第１の態様によれば、画像に添付された情報コードを撮像装置に入力するだけで撮像装置の撮像条件が自動的に設定されるので、専門知識を要する複雑な撮像条件を簡単に設定することができるという効果が得られる。
さらに第２の態様によれば、第１の態様による効果に加え、過去に撮像した画像の中から撮りたい画像のイメージに近い画像を選択するだけで、過去の画像の撮像時の撮像条件と同じ撮像条件を簡単に設定することができるという効果が得られる。
【図面の簡単な説明】
【００１１】
【図１】本発明の実施形態であるデジタルスチルカメラの構成を示すブロック図
【図２】本発明の実施形態である第１の情報処理動作を示すフローチャート
【図３】本発明の実施形態である第２の情報処理動作を示すフローチャート
【発明を実施するための形態】
【００１２】
図１は本発明の実施形態であるデジタルスチルカメラの構成をブロック図で示したものである。デジタルスチルカメラ（以下、単にカメラという）１０は、撮像部１２、入力部１４、表示部１６、記憶部１８、撮像条件設定処理部２０およびＣＰＵ２２を備えている。
【００１３】
撮像部１２はレンズや撮像素子、イメージプロセッサからなるカメラの基幹部分であり、レンズは被写体の光を撮像素子に結像させ、撮像素子は画素毎に受けた光を電気信号に変える。これらの電気信号はイメージプロセッサで処理され、記憶部１８に画像ファイルとして保存される。表示部１６にはレンズを通して見た被写体や記憶部１８に保存された画像ファイルをイメージプロセッサで可視的に処理した画像が表示される。記憶部１８としてはカメラ１０に内蔵された内部メモリの他にメモリスロットに挿入された外部メモリがある。
【００１４】
入力部１４は撮影者による操作情報をＣＰＵ２２に入力したり、撮像条件設定処理部２０に情報コードを入力したりするためのユーザインターフェースとして機能する。情報コードは、ウェブサイトに表示された画像もしくは紙媒体に印刷された画像に添付された文字数列もしくは図形パターンであり、これらの画像を撮像したときの撮像条件などの情報が記録されている。情報コードが文字数列である場合は、カメラ１０本体に設けられた操作キーや、表示部１６に表示されるタッチパネル式ボタンを通じて情報コードを入力する。また情報コードがバーコードや二次元コードなどの図形パターンである場合は、これらのコードを撮像部１２で撮像して入力することも可能である。
【００１５】
撮像条件設定処理部２０は図２に示す処理フローに従って第１の情報処理動作を実行する。最初に、入力部１４から入力された情報コードを解析する（Ｓ１）。次に、情報コードに記録されている撮像条件情報を取得する（Ｓ２）。最後に、取得した撮像条件情報に基づいて撮像部１２の撮像条件を設定する（Ｓ３）。撮像条件とは被写体の撮像時における撮像部１２の駆動条件であり、例えば、絞り値、シャッター速度、ＩＳＯ感度、露光時間、露光補正値などの撮像パラメータを含んでいる。
【００１６】
このように構成されたカメラ１０を使用することで、他人のホームページや雑誌などに掲載されている画像の中に撮りたい画像のイメージに近いものがあれば、その画像に添付されている情報コードをカメラ１０に入力するだけで、その画像撮像時の撮像条件とほぼ同等の撮像条件を手持ちのカメラ１０に簡単に設定することができるようになる。これには参照される画像を誰がいつ撮像したのかは全く関係がなく、情報コードのみで撮像条件情報の伝達が行われるので、見知らぬもの同士の間で距離や時間を超えて撮像条件情報のやり取りすることが可能になる。これにより撮像技術の向上やこれを核としたコミュニティの生成などが期待できる。
【００１７】
撮像条件設定処理部２０は図３に示す処理フローに従って第２の情報処理動作を実行する。第１の処理フローのＳ３工程で設定された撮像条件で撮像された画像データは、その撮像条件情報とともに記憶部１８に記憶、保存されている。記憶部１８に記憶されている画像データは表示部１６に可視的に表示されるので、撮影者は過去に撮像した画像の中からこれから撮像しようとする画像のイメージに近いものを選択することができる。この画像の選択は、カメラ１０本体に設けられた操作キーや表示部１６に表示されるタッチパネル式ボタンの操作により行われ、入力部１４より撮像条件設定処理部２０に入力される。撮像条件設定処理部２０は画像選択情報が入力されると（Ｓ４）、その画像に対応する撮像条件情報を記憶部１８から読み出し（Ｓ５）読み出した撮像条件情報に基づいて撮像部１２の撮像条件を設定する（Ｓ６）。
【００１８】
第２の情報処理動作を実行するように構成されたカメラ１０を使用すれば、カメラ１０で過去に撮像した画像の中から、撮りたい画像のイメージに近い画像を選択するだけで、過去の画像の撮像時の撮像条件と同じ撮像条件を簡単に設定することができるようになる。
【００１９】
なお、カメラ１０の機種によっては同じ撮像条件を設定しても画像表現に微差が現れることがあるので、機種毎の撮像条件の補正値を予め用意して記憶させておいて設定時に補正をかけるようにしてもよい。また、カメラ１０の機種によって撮像条件設定の内容や方法に違いがある場合は、情報コードから取得した撮像条件情報をそれぞれの機種に応じたフォーマットに変換する必要があるので、予め変換プログラムを記憶させておくことが望ましい。  
【００２０】
本発明の適用は実施形態で示したデジタルスチルカメラに限られるものではなく、デジタルスチルカメラ機能を搭載した各種機器、例えば携帯電話などのモバイル機器や、カメラ機能を備えたデジタルビデオカメラなどにも適用が可能である。  
【符号の説明】
【００２１】
１０  デジタルスチルカメラ
１２  撮像部
１４  入力部
１６  表示部
１８  記憶部
２０  撮像条件設定処理部
２２  ＣＰＵ
【図１】
2011166388.tif 000003
【図２】
2011166388.tif 000004
【図３】
2011166388.tif 000005